(57)【要約】【課題】  表示装置とファンを別々に交換することができ、経済的で、表示装置からの熱を効率よく外部に放出させることができる。【解決手段】  本発明は、遊技盤６に表示装置８が設けられた遊技機１において、表示装置８から発生する熱を外部に放出するためのファン３５の取付構造であって、ファン３５は、遊技盤６の背面側において、表示装置８とは別の部材に取り付けられていることを特徴とする。そして、好ましくは、ファン３５は、表示装置８を覆うように設けられた防護カバー３４に取り付けられている。【選択図】  図４
2005192730.tif 000002
【特許請求の範囲】
【請求項１】
遊技盤に表示装置が設けられた遊技機において、該表示装置から発生する熱を外部に放出するためのファンの取付構造であって、
前記ファンは、前記遊技盤の背面側において、前記表示装置とは別の部材に取り付けられていることを特徴とする遊技機におけるファンの取付構造。
【請求項２】
前記ファンは、前記表示装置を覆うように設けられた防護カバーに取り付けられている請求項１に記載の遊技機におけるファンの取付構造。
【発明の詳細な説明】
【技術分野】
【０００１】
本発明は、パチンコ遊技機等の遊技機において、遊技盤に設けられた表示装置から放出される熱を外部に放出するためのファンの取付構造に関する。
【背景技術】
【０００２】
従来、パチンコ遊技機等の遊技機では、遊技者に対する演出効果を高めるため、遊技状態に応じて図柄を変動表示させる図柄表示装置等、各種表示装置が遊技盤に設けられている。そして、この種の表示装置は、表示内容を制御するために多数の電子部品を搭載した制御基板を備えており、通常、表示装置には、制御基板から発生する熱を外部に放出するためのファンが取り付けられ、制御基板が発熱により高温となり、正常に動作しなくなるのを防止できるようになっている（例えば、特許文献１参照）。
【０００３】
【特許文献１】特開２００２−４５５３０号公報
【発明の開示】
【発明が解決しようとする課題】
【０００４】
しかしながら、上記した従来の遊技機では、表示装置から放出される熱を外部に放出するためのファンが表示装置と一体に設けられていたため、表示装置とファンのいずれか一方が故障した場合であっても、表示装置とファンを一緒に交換しなければならず、非常に不経済であった。
【０００５】
また、遊技店では、パチンコ遊技機の交換や遊技盤の交換（いわゆる、盤面替え）が定期的に行われているが、その場合にも、その都度、表示装置と共にファンも交換されてしまうため、新たな表示装置もファン付きのものを用意しなければならず、交換費用が高くなるといった問題もあった。
【０００６】
さらに、近年では、表示装置が大型化し、表示装置からの発熱量も増大する傾向があるため、表示装置に一体で取り付けられたファンではその能力に限界があり、表示装置からの熱を十分に放出させるのが困難になってきている。
【０００７】
本発明は、上記した課題を解決すべくなされたものであり、表示装置とファンを別々に交換することができ、経済的で、表示装置からの熱を効率よく外部に放出させることのできる遊技機におけるファンの取付構造を提供するものである。
【課題を解決するための手段】
【０００８】
本発明は、遊技盤６に表示装置８が設けられた遊技機１において、表示装置８から発生する熱を外部に放出するためのファン３５の取付構造であって、ファン３５は、遊技盤６の背面側において、表示装置８とは別の部材に取り付けられていることを特徴とする。
【０００９】
そして、好ましくは、ファン３５は、表示装置８を覆うように設けられた防護カバー３４に取り付けられている。
【発明の効果】
【００１０】
本発明によれば、表示装置と、表示装置から発生する熱を外部に放出するためのファンとが別々に設置されているため、表示装置とファンをそれぞれ別々に交換することができ、交換費用の低減化が可能となり、経済性を向上させることができる。
【００１１】
また、表示装置の外形寸法に制約を受けることなく、適正な能力のファンを選定することができるため、表示装置からの熱を効率よく、外部に放出させることができる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に適用した場合について説明する。
【００１３】
先ず、図１及び図２を参照しつつ、本発明の実施の形態におけるパチンコ遊技機の概略構成について説明する。ここで、図１はパチンコ遊技機を示す正面図、図２はパチンコ遊技機を示す背面図である。
【００１４】
パチンコ遊技機１は、方形枠状の外枠２と、遊技機１の機体となる前枠３とを備えており、前枠３は、外枠２の正面左側上下に設けられたヒンジ金具４ａ，４ｂにより開閉可能に設けられていると共に外枠２の正面右側に設けられた施錠具５により閉鎖状態に保持されるようになっている。また、前枠３内には、遊技盤６が収容され、遊技盤６の前面側中央部には開口部７が形成されており、開口部７から図柄表示装置８の表示部９が視認可能となっている。そして、その開口部７の周りには、センター飾り１０、始動入賞口１１、大入賞口１２、入賞口１３等の各種遊技部品がそれぞれ配設され、遊技領域１４が形成されている。さらに、遊技領域１４の最下部には、上記各入賞口１１，１２，１３に入賞せずに落下したアウト球を排出させるアウト口１５が設けられており、アウト口１５に集められたアウト球は遊技盤６の背面側を通って機外に排出されるようになっている。
【００１５】
前枠３の正面側には、前枠３に対して開閉且つ着脱可能にガラス扉１６が設けられ、ガラス扉１６により遊技領域１４の前面側が閉鎖された状態に保持されるようになっている。また、前枠３のガラス扉１６の下方には上球皿１７が前方に突出して設けられ、上球皿１７の下方には下球皿１８が前方に突出して設けられている。さらに、下球皿１８には正面右側に発射ハンドル１９が前方に突出して設けられ、発射ハンドル１９を時計回り方向に回転させると、上球皿１７から供給された遊技球が遊技領域１４に送出されるようになっている。
【００１６】
一方、前枠３の背面側には、複数のレバー２０により裏セット盤２１が着脱可能に設けられている。そして、裏セット盤２１には、図柄表示装置８の上方に、賞球を貯留する球貯留タンク２２と、球貯留タンク２２から供給された賞球を前後２列に整列させるタンクレール２３が設けられ、背面側から見て図柄表示装置８の右方に、賞球を整列状態で待機させる待機通路２４と、遊技球の入賞状態に応じて賞球を払い出す球払出装置２５が設けられ、図柄表示装置８の下方に、球払出装置２５から払い出された賞球を上球皿１７又は下球皿１８に排出する球排出経路２６が設けられている。また、裏セット盤２１には、後述する表示制御基板３０の他、電源基板２７や遊技制御基板２８等が設けられており、これらの各種回路基板及び電子部品はワイヤーハーネス４２（図４参照）によりお互いに接続されている。
【００１７】
次に、図２並びに図３及び図４を参照しつつ、本発明の実施の形態に係るパチンコ遊技機におけるファンの取付構造について説明する。ここで、図３は本実施の形態に係るパチンコ遊技機におけるファンの取付構造を示す分解平面図、図４はそのファンの取付構造を示す側断面図である。
【００１８】
遊技盤６の背面には台座２９を介して図柄表示装置８が固定され、図柄表示装置８の表示部９が遊技盤６に形成された開口部７に面するようになっており、表示部９の背面側には、表示部９を制御するための表示制御基板３０等の制御部３１が設けられている。そして、表示部９及び制御部３１は箱状の機体３２に収容されており、機体３２の上部には表示部９からの熱を放出させるための放熱孔３３が形成されている。
【００１９】
また、裏セット盤２１の背面には、図柄表示装置８を覆うように防護カバー３４が着脱可能に設けられており、遊技島（図示せず）から球貯留タンク２２への賞球補給時に球貯留タンク２２から零れ落ちた球が図柄表示装置８に直接当らないようになっている。これにより、制御部３１に接続されたワイヤーハーネス４２が脱落したり、或いは、制御部３１に設けられた各種電子部品４３が損傷したりするのを防止できるようになっている。
【００２０】
防護カバー３４は、前面と下面が開放された箱状を成し、背面側から見て、右側に掛止突起部３８が形成されていると共に左側に取付用鍔部３９が形成されている。そして、裏セット盤２１に形成された掛止凹部４０に掛止突起部３８を挿入し、取付用鍔部３９の所用箇所（図２では２箇所）に止め具４１を押し付けることにより、防護カバー３４が裏セット盤２１に固定されるようになっている。さらに、防護カバー３４の上部には、放熱孔３３の上方の放熱孔３３に対応する位置に、ファン３５が着脱可能なファン取付部３６が形成されており、ファン取付部３６には多数の放熱用丸孔３７が穿設されている。
【００２１】
このような構成において、図柄表示装置８から発生した熱は、放熱孔３３を通って上昇し、ファン３５により強制的に、丸孔３７を介して外部に放出される。本実施の形態では、ファン３５が、図柄表示装置８の放熱孔３３の上方の放熱孔３３に対応する位置に設けられているため、図柄表示装置８から発生する熱を上昇気流に乗せて、効率よく外部に放出させることができる。
【００２２】
上記したように、本実施の形態によれば、ファン３５は、図柄表示装置８とは別の部材の防護カバー３４に着脱可能に設けられているため、図柄表示装置８とファン３５をそれぞれ別々に交換することができ、また、図柄表示装置８を交換する場合には、ファン３５の付いていない図柄表示装置８を選択することができる。そのため、図柄表示装置８やファン３５の交換費用の低減化を図ることができる。さらに、図柄表示装置８の外形寸法に制約を受けることなく、防護カバー３４に設置可能な大きさである限り、自由にファン３５を選定することができるので、最適な能力を有するファン３５を設置することができる。したがって、図柄表示装置８から発生する熱を効率よく、外部に放出させることが可能となる。
【００２３】
なお、上記実施の形態では、ファン３５を防護カバー３４に設置した場合について説明したが、これは単なる例示に過ぎず、表示装置と別の部材であれば、裏セット盤２１等、遊技盤６の背面側の他の部材に設置してもよい。
【００２４】
また、上記実施の形態において、ファン３５は、図柄表示装置８からの熱を放出可能なように設けられているが、センター飾り１０等に設置された他の表示装置からの熱を放出可能なように設けられていてもよい。さらに、図柄表示装置８は、上記した台座２９の他、各入賞口１１，１２，１３やアウト口１５に入った球を集合させて機外に排出させる球寄せカバー（図示せず）やセンター飾り１０等、他の部材に固定されていてもよい。
【００２５】
さらに、上記実施の形態では、本発明をパチンコ遊技機１に適用した場合について説明したが、本発明は、アレンジボール遊技機やスロットマシン等、他の遊技機にも適用可能であることは言う迄もない。
【図面の簡単な説明】
【００２６】
【図１】本発明の実施の形態におけるパチンコ遊技機を示す正面図である。
【図２】本発明の実施の形態におけるパチンコ遊技機を示す背面図である。
【図３】本発明の実施の形態に係るパチンコ遊技機におけるファンの取付構造を示す分解平面図である。
【図４】本発明の実施の形態に係るパチンコ遊技機におけるファンの取付構造を示す側断面図である。
【符号の説明】
【００２７】
１          パチンコ遊技機
６          遊技盤
８          図柄表示装置
３５        ファン
【図１】
2005192730.tif 000003
【図２】
2005192730.tif 000004
【図３】
2005192730.tif 000005
【図４】
2005192730.tif 000006